(57)【要約】【課題】パーソナルケア器具用の取外可能ヘッド取付構造体を提供すること。【解決手段】本発明は、取外可能ヘッドをパーソナルケア器具に取外し可能に固定する取付構造体に関し、この取付構造体は、（ａ）パーソナルケア器具の駆動シャフトに固定可能なベースプレートであって、ラッチ開口幅を有する第１のラッチ開口部を含む、ベースプレートと、（ｂ）取外可能ヘッドに固定可能なハンドグリッププレートであって、第１のラッチ開口部内に選択的に係合可能であり、取外可能ヘッドをパーソナルケア器具に取外し可能に固定する第１のラッチを含み、第１のラッチが、第１のラッチ幅を有する第１の非変形状態と第２のラッチ幅を有する第２の変形状態との間で可動であり、第１のラッチ幅が、ラッチ開口幅より広い、ハンドグリッププレートと、を含む。【選択図】図１
2017196118.tif 000002
【特許請求の範囲】
【請求項１】
取外可能ヘッドをパーソナルケア器具に取外し可能に固定する取付構造体であって、
（ａ）前記パーソナルケア器具の駆動シャフトに固定可能なベースプレートであって、ラッチ開口幅を有する第１のラッチ開口部を含む、ベースプレートと、
（ｂ）前記取外可能ヘッドに固定可能なハンドグリッププレートであって、前記第１のラッチ開口部内に選択的に係合可能であり、前記取外可能ヘッドを前記パーソナルケア器具に取外し可能に固定する第１のラッチを含み、前記第１のラッチが、第１のラッチ幅を有する第１の非変形状態と第２のラッチ幅を有する第２の変形状態との間で可動であり、前記第１のラッチ幅が、前記ラッチ開口幅より広い、ハンドグリッププレートと、
を含む、取付構造体。
【請求項２】
前記ハンドグリッププレートが、前記第１のラッチから横方向に延在している第１及び第２のグリップ部分をさらに含み、
前記第１及び第２のグリップ部分が、互いに向かってかつ互いから離れるように移動可能であり、前記第１のラッチを前記第１の非変形状態と前記第２の変形状態との間で動かす、請求項１に記載の取付構造体。
【請求項３】
前記ベースプレートが、前記第１のラッチ開口部内へ延在している第１のキャッチを含み、
前記第１のキャッチが、前記第１のラッチが前記第１のラッチ開口部内に受容されると、前記第１のラッチ上に画定されている第１のフックアセンブリと選択的に係合可能である、請求項１に記載の取付構造体。
【請求項４】
前記ベースプレートが前記パーソナルケア器具に固定されると、ベースプレートとパーソナルケア器具との間に延在している支持構造体をさらに含み、
前記支持構造体が、前記ベースプレートと前記駆動シャフトとの間の接続を安定させ、確実にするように構成されている、請求項１に記載の取付構造体。
【請求項５】
前記支持構造体が、前記駆動シャフトを受容するように合わせられている駆動シャフト開口部を含む、請求項４に記載の取付構造体。
【請求項６】
前記取外可能ヘッドが、前記取外し可能なヘッドの内面上に画定されている安定化構造体を含み、
前記安定化構造体が、前記ハンドグリッププレートの少なくとも一部と係合可能であり、前記ハンドグリッププレートと前記取外可能ヘッドとの間に安定した確実な接続をもたらす、請求項１に記載の取付構造体。
【請求項７】
前記安定化構造体が、前記ハンドグリッププレートにある開口部内に受容可能な少なくとも１つの突起を含む、請求項６に記載の取付構造体。
【請求項８】
駆動シャフトと前記駆動シャフトに固定されているベースプレートとを有するパーソナルケア器具と共に使用するための取外可能ヘッドであって、前記ベースプレートが、ラッチ開口幅を有する第１のラッチ開口部を含み、当該取外可能ヘッドが、
（ａ）内面及び外面を有する基体と、
（ｂ）前記基体の前記外面に固定されているパーソナルケア部分と、
（ｃ）前記基体の前記内面に固定されているハンドグリッププレートであって、前記ベースプレートの前記第１のラッチ開口部内に選択的に係合可能であり、当該取外可能ヘッドを前記パーソナルケア器具に取外し可能に固定する第１のラッチを含み、前記第１のラッチが、第１のラッチ幅を有する第１の非変形状態と第２のラッチ幅を有する第２の変形状態との間で移動可能であり、前記第１のラッチ幅は前記ラッチ開口幅より広い、ハンドグリッププレートと、
を含む、取外可能ヘッド。
【請求項９】
前記ハンドグリッププレートが、前記第１のラッチから横方向に延在している第１及び第２のグリップ部分をさらに含み、
前記第１及び第２のグリップ部分が、互いに向かってかつ互いから離れるように移動可能であり、前記第１のラッチを前記第１の非変形状態と前記第２の変形状態との間で動かす、請求項８に記載の取外可能ヘッド。
【請求項１０】
前記ハンドグリッププレートが、前記第１のラッチ上に画定されている第１のフックアセンブリを含み、
前記第１のフックアセンブリが、前記第１のラッチ開口部内へ延在している第１のキャッチ部と選択的に係合可能である、請求項８に記載の取外可能ヘッド。
【請求項１１】
前記ベースの前記内面上に画定されている安定化構造体をさらに含み、
前記安定化構造体が、前記ハンドグリッププレートの少なくとも部分と係合可能であり前記ハンドグリッププレートと前記取外し可能なヘッドとの間に安定した確実な接続をもたらす、請求項８に記載の取外可能ヘッド。
【請求項１２】
前記安定化構造体が、前記ハンドグリッププレートにある開口部内に受容可能な少なくとも１つの突起を含む、請求項６に記載の取外可能ヘッド。
【請求項１３】
前記安定化構造体が、前記ハンドグリッププレートの対向する第１及び第２の外縁部と係合可能である第１及び第２の突起を含む、請求項６に記載の取外可能ヘッド。
【請求項１４】
取外可能ヘッドをパーソナルケア器具に固定する方法であって、
（ａ）ベースプレートを前記パーソナルケア器具の駆動シャフトに固定するステップであって、前記ベースプレートが、ラッチ開口幅を有する第１のラッチ開口部を有する、ステップと、
（ｂ）ハンドグリッププレートを前記取外可能ヘッドに固定するステップであって、前記ハンドグリッププレートが、第１のラッチ幅を有する第１の非変形状態と第２のラッチ幅を有する第２の変形状態との間で移動可能である第１のラッチを含み、前記第１のラッチ幅が、前記ラッチ開口幅より広い、ステップと、
（ｃ）前記第１のラッチを前記第１のラッチ開口部と係合させて、前記取外可能ヘッドを前記パーソナルケア器具に取外し可能に固定するステップと、
を含む、方法。
【請求項１５】
前記ハンドグリッププレートが、前記第１のラッチから横方向に延在している第１及び第２のグリップ部分さらに含み、
前記方法が、前記第１及び第２のグリップ部分を互いから離して動かして、前記第１のラッチを前記第１の非変形状態に動かし、前記第１及び第２のグリップ部分を互いの方へ動かして、前記第１のラッチを前記第２の変形状態に動かすステップをさらに含む、請求項１４に記載の方法。
【請求項１６】
前記ベースプレートが、前記第１のラッチ開口部内へ延在している第１のキャッチ部を含み、
前記第１のキャッチが、前記第１のラッチが前記第１のラッチ開口部内に受容されると、前記第１のラッチ上に画定されている第１のフックアセンブリと選択的に係合可能である、請求項１４に記載の方法。
【請求項１７】
前記ベースプレートが前記パーソナルケア器具に固定されると、ベースプレートとパーソナルケア器具との間に延在している支持構造体をさらに含み、
前記支持構造体が、前記ベースプレートと前記駆動シャフトとの間の接続を安定させ、確実にするように構成されている、請求項１４に記載の方法。
【請求項１８】
前記支持構造体が、前記駆動シャフトを受容するように合わせられている駆動シャフト開口部を含む、請求項１４に記載の方法。
【請求項１９】
前記取外可能ヘッドが、前記取外し可能なヘッドの内面上に画定されている安定化構造体を含み、
前記安定化構造体が、前記ハンドグリッププレートの少なくとも一部と係合可能であり、前記ハンドグリッププレートと前記取外可能ヘッドとの間に安定した確実な接続をもたらす、請求項１４に記載の方法。
【請求項２０】
前記安定化構造体が、前記ハンドグリッププレートにある開口部内に受容可能な少なくとも１つの突起を含む、請求項１９に記載の方法。
【発明の詳細な説明】
【技術分野】
【０００１】
本発明はパーソナルケア器具用の取外可能ヘッド取付構造体に関する。
【背景技術】
【０００２】
皮膚を清浄化し、その角質を除去し、または別の方法で手入れするために使用されるものなどの、比較的大きい取外可能ヘッドアセンブリを有するものを含むパーソナルケア器具では、ヘッドは、定期的な交換要求のため、ユーザにより容易に取外し可能であり、設置可能でなければならない。さらに、設置された場合、取外可能ヘッドは、駆動部材と取外可能ヘッドとの間に動きの低下がないかまたは殆どない状態で、回転シャフトまたは揺動シャフトなどの器具の駆動部材との堅固な確実な接続を有さなければならない。
【０００３】
先行技術の取付構造体は、一般に、複雑なロックイン構造体であり、器具の動作中の安定性を確実にし、振動に起因するノイズを低減する。先行技術の取付構造体は、使い方が複雑であるばかりでなく、それらは製造が複雑で費用がかかる。
【先行技術文献】
【特許文献】
【０００４】
【特許文献１】米国特許第７，７８６，６２６号明細書
【発明の概要】
【発明が解決しようとする課題】
【０００５】
したがって、当然のことながら、使い易く、機械的結合または性能を弱めない、ヘッドをパーソナルケア器具に取外し可能に固定する簡易化された取付構造体が所望されている。
【課題を解決するための手段】
【０００６】
本発明は、取外可能ヘッドをパーソナルケア器具に取外し可能に固定する取付構造体を提供し、この取付構造体は、
（ａ）パーソナルケア器具の駆動シャフトに固定可能なベースプレートであって、ラッチ開口幅を有する第１のラッチ開口部を含む、ベースプレートと、
（ｂ）取外可能ヘッドに固定可能なハンドグリッププレートであって、第１のラッチ開口部内に選択的に係合可能であり、取外可能ヘッドをパーソナルケア器具に取外し可能に固定する第１のラッチを含み、第１のラッチが、第１のラッチ幅を有する第１の非変形状態と第２のラッチ幅を有する第２の変形状態との間で可動であり、第１のラッチ幅が、ラッチ開口幅より広い、ハンドグリッププレートと、
を含む。
【０００７】
一実施形態では、ハンドグリッププレートは、第１のラッチから横方向に延在している第１及び第２のグリップ部分をさらに含み、第１及び第２のグリップ部分が、互いに向かってかつ互いから離れるように移動可能であり、第１のラッチを第１の非変形状態と第２の変形状態との間で動かす。
【０００８】
一実施形態では、ベースプレートは、第１のラッチ開口部内へ延在している第１のキャッチを含み、第１のキャッチは、第１のラッチが第１のラッチ開口部内に受容されると、第１のラッチ上に画定されている第１のフックアセンブリと選択的に係合可能である。
【０００９】
一実施形態では、取付構造体は、ベースプレートがパーソナルケア器具に固定されると、ベースプレートとパーソナルケア器具との間に延在している支持構造体をさらに含み、支持構造体は、ベースプレートと駆動シャフトとの間の接続を安定させ、確実にするように構成されている。支持構造体は、駆動シャフトを受容するように合わせられている駆動シャフト開口部を含んでいてもよい。
【００１０】
一実施形態では、取外可能ヘッドは、取外し可能なヘッドの内面上に画定されている安定化構造体を含み、安定化構造体が、ハンドグリッププレートの少なくとも一部と係合可能であり、ハンドグリッププレートと取外可能ヘッドとの間に安定した確実な接続をもたらす。安定化構造体は、ハンドグリッププレートにある開口部内に受容可能な少なくとも１つの突起を含んでいてもよい。
【００１１】
また、本発明は、駆動シャフトと駆動シャフトに固定されているベースプレートとを有するパーソナルケア器具と共に使用するための取外可能ヘッドを提供し、ベースプレートは、ラッチ開口幅を有する第１のラッチ開口部を含み、取外可能ヘッドは、
（ａ）内面及び外面を有する基体と、
（ｂ）基体の外面に固定されているパーソナルケア部分と、
（ｃ）基体の内面に固定されているハンドグリッププレートであって、ベースプレートの第１のラッチ開口部内に選択的に係合可能であり、取外可能ヘッドをパーソナルケア器具に取外し可能に固定する第１のラッチを含み、第１のラッチが、第１のラッチ幅を有する第１の非変形状態と第２のラッチ幅を有する第２の変形状態との間で移動可能であり、第１のラッチ幅はラッチ開口幅より広い、ハンドグリッププレートと、
を含む。
【００１２】
一実施形態では、ハンドグリッププレートは、第１のラッチから横方向に延在している第１及び第２のグリップ部分をさらに含み、第１及び第２のグリップ部分は、互いに向かってかつ互いから離れるように移動可能であり、第１のラッチを第１の非変形状態と第２の変形状態との間で動かす。
【００１３】
一実施形態では、ハンドグリッププレートは、第１のラッチ上に画定されている第１のフックアセンブリを含み、第１のフックアセンブリは、第１のラッチ開口部内へ延在している第１のキャッチ部と選択的に係合可能である。
【００１４】
一実施形態では、取外可能ヘッドは、ベースの内面上に画定されている安定化構造体をさらに含み、安定化構造体は、ハンドグリッププレートの少なくとも部分と係合可能でありハンドグリッププレートと取外し可能なヘッドとの間に安定した確実な接続をもたらす。
【００１５】
一実施形態では、安定化構造体は、ハンドグリッププレートにある開口部内に受容可能な少なくとも１つの突起を含む。一実施形態では、安定化構造体は、ハンドグリッププレートの対向する第１及び第２の外縁部と係合可能である第１及び第２の突起を含む。
【００１６】
また、本発明は、取外可能ヘッドをパーソナルケア器具に固定する方法を提供し、この方法は、
（ａ）ベースプレートをパーソナルケア器具の駆動シャフトに固定するステップであって、ベースプレートが、ラッチ開口幅を有する第１のラッチ開口部を有する、ステップと、
（ｂ）ハンドグリッププレートを取外可能ヘッドに固定するステップであって、ハンドグリッププレートが、第１のラッチ幅を有する第１の非変形状態と第２のラッチ幅を有する第２の変形状態との間で移動可能である第１のラッチを含み、第１のラッチ幅が、ラッチ開口幅より広い、ステップと、
（ｃ）第１のラッチを第１のラッチ開口部と係合させて、取外可能ヘッドをパーソナルケア器具に取外し可能に固定するステップと、
を含む。
【００１７】
一実施形態では、ハンドグリッププレートは、第１のラッチから横方向に延在している第１及び第２のグリップ部分さらに含み、方法は、第１及び第２のグリップ部分を互いから離して動かして、第１のラッチを第１の非変形状態に動かし、第１及び第２のグリップ部分を互いの方へ動かして、第１のラッチを第２の変形状態に動かすステップをさらに含む。
【００１８】
一実施形態では、ベースプレートは、第１のラッチ開口部内へ延在している第１のキャッチ部を含み、第１のキャッチは、第１のラッチが第１のラッチ開口部内に受容されると、第１のラッチ上に画定されている第１のフックアセンブリと選択的に係合可能である。
【００１９】
一実施形態では、取外可能ヘッドは、ベースプレートがパーソナルケア器具に固定されると、ベースプレートとパーソナルケア器具との間に延在している支持構造体をさらに含み、支持構造体が、ベースプレートと駆動シャフトとの間の接続を安定させ、確実にするように構成されている。支持構造体は、駆動シャフトを受容するように合わせられている駆動シャフト開口部を含んでいてもよい。
【００２０】
一実施形態では、取外可能ヘッドが、取外し可能なヘッドの内面上に画定されている安定化構造体を含み、安定化構造体が、ハンドグリッププレートの少なくとも一部と係合可能であり、ハンドグリッププレートと取外可能ヘッドとの間に安定した確実な接続をもたらす。安定化構造体は、ハンドグリッププレートにある開口部内に受容可能な少なくとも１つの突起を含んでいてもよい。
【００２１】
本発明の前述の態様及び結果として伴う利点の多くは、添付図面と併用されている場合、以下の詳細な説明を参照することにより、より容易に理解されるようになるであろう。
【図面の簡単な説明】
【００２２】
【図１】一例にかかるパーソナルケア器具を示す斜視図であって、取付構造体を用いて例示的な取外可能ヘッドが取り付けられている、斜視図である。
【図２】取外可能ヘッドを器具に取外し可能に取り付ける例示的な実施形態にかかる取付構造体を示す前方拡大図である。
【図３】図２の取付構造体を示す後方拡大図である。
【図４】図２の取付構造体を示す部分横断面図であって、図１のように取外可能ヘッドをパーソナルケア器具に取り付けて示し、実質的に線４−４を横断して取られている、部分横断面図である。
【図５】図２の取付構造体を示す部分横断面図であって、図１のように取外可能ヘッドをパーソナルケア器具に取り付けて示し、取付構造体が第１の位置で示され、実質的に線５−５を横断して取られている、部分横断面図である。
【図６Ａ】図５の取付構造体を示す部分横断面図であって、取付構造体が第２の位置で示されている、部分横断面図である。
【図６Ｂ】図５の取付構造体を示す部分横断面図であって、取付構造体が第２の位置で示され、取付構造体の第１の部分を取付構造体の第２の部分から取り外して取外可能ヘッドをパーソナルケア器具から取り外している、部分横断面図である。
【図７】図１のパーソナルケア器具のいくつかの構成要素を示す機能ブロック図である。
【発明を実施するための形態】
【００２３】
添付図面に関連して以下に記載されている詳細な説明は、開示されている主題の例示的な実施形態の説明となることを目的としており、唯一の実施形態を提示することを意図していない。本開示に記載されている代表的な実施形態は、単に例または説明として与えられているに過ぎず、包括的であることまたは請求項に記載されている主題を、開示されている精密な形態に限定することを意図していない。
【００２４】
さらに、以下の検討は、ヘッドをパーソナルケア器具に取外し可能に取り付けるシステム、装置、及び／または方法の例を提供する。本開示は、パーソナルケア器具と共に使用するのに適した取付構造体を提供する。本明細書に記載されているいくつかの例では、パーソナルケア器具は、取外可能ヘッドを振動させて、使用者の表皮の手入れを実現する。取外可能ヘッドの振動動作は、回転、並進運動等、またはそれらの組合せであってもよい。使用中、パーソナルケア器具は、使用者の皮膚を清浄化するためにまたは別の方法で手入れするために、使用者の皮膚上で取外可能ヘッドを振動させる。
【００２５】
以下の記載では、本開示の例示的実施形態の十分な理解を実現するために、多数の具体的詳細が記載されている。しかし、当業者には当然のことながら、本開示の例示的実施形態は、具体的詳細のいくつかまたは全てを用いずに実践されてもよい。いくつかの例では、周知の方法ステップまたは特徴は、本開示の様々な態様を不必要に分かり難くしないために、詳細に記載されていない。さらに、当然のことながら、本開示の例示的実施形態は、本明細書に記載されている特徴の任意の組合せを使用する可能性がある。
【００２６】
ここで図１を参照すると、全般的に符号２０に指定されている取外可能ヘッドの一例が示されており、取外可能ヘッドは、器具２２などのパーソナルケア器具に取外し可能に取り付けられている。取外可能ヘッド２０は、本開示の例示的な実施形態に基づいて形成されている（図１には見えない）取付構造体２４により、パーソナルケア器具２２に取外し可能に取り付けられている。取付構造体２４をより詳細に説明する前に、使用者の皮膚を清浄化し、その角質を除去し、または別の方法で手入れするのに使用されてもよい取外し可能なヘッド２０及びヘッド２０に振動を与えるのに使用されてもよいパーソナルケア器具２２の例をいくらか詳細に記載するであろう。
【００２７】
任意の適切な取外可能ヘッドが使用されてもよいが、図示の実施形態では、取外可能ヘッド２０は、皮膚を清浄化し、その角質を除去し、または別の方法で手入れするために、使用者の皮膚上で振動し得るパーソナルケア部分２６を含む。パーソナルケア部分２６は、基体３４の外面に取外し可能にまたは恒久的に取り付けられていてもよい。図示の実施形態では、パーソナルケア部分２６は、基体３４の外面から延在しておりかつ当技術分野で周知の方法でそれに固定されている毛３０を含む。さらに、当然のことながら、取外可能ヘッド２０のパーソナルケア部分２６は、代わりに、１以上の研削セクションを備えた角質除去ディスクなどの、皮膚を清浄化し、その角質を除去し、または別の方法で手入れする任意の他の適切な構造体を含んでいてもよい。パーソナルケア部分２６の反対側における基体３４の内面は、取付構造体２４を介してパーソナルケア器具２２の駆動アセンブリと間接的に連動するように構成されている。
【００２８】
パーソナルケア器具２２は、ハンドル部分４０とヘッド取付部分４６とを有する本体３８を含む。ヘッド取付部分４６は、取外可能ヘッド２０などのヘッドを器具２２に選択的に取り付けるように構成されている。器具本体３８は器具の動作構造体を収容している。図７のブロック図の形に示すように、一実施形態における動作構造体は、駆動モータアセンブリ４８と、充電池などの電力貯蔵源５０と、電力貯蔵源５０から駆動モータアセンブリ４８へ電力を選択的に供給するように構成されており、配置されているオン／オフボタン４２（図１参照）を含む駆動制御部５２とを含む。いくつかの実施形態では、また、駆動制御部５２は、駆動モータアセンブリ４８への電力の供給を制御するように構成されている、プログラムされたマイクロコントローラまたはプロセッサなどの制御回路に連結されている電力調節ボタンまたはモード制御ボタン４４（図１参照）を含んでいてもよい。いくつかの実施形態における駆動モータアセンブリ４８は、駆動シャフトまたは電機子６０を介して取外可能ヘッド２０などの取り付けられたヘッドを駆動する電動機５４を含む。
【００２９】
取外可能ヘッド２０などのパーソナルケアヘッドがヘッド取付部分４６に取り付けられた場合、駆動モータアセンブリ４８はヘッド２０に動きを与えるように構成されている。駆動モータアセンブリ４８は、通常は２０Ｈｚ〜１６０Ｈｚの範囲内の可聴周波数で、３度〜２０度の範囲または振幅内で、取外可能ヘッド２０を前後に振動させて、取外可能ヘッド２０を動作させるように構成されていてもよい。いくつかの実施形態では、取外可能ヘッド２０は、３度〜１７度の振幅または範囲で、約８０Ｈｚから１２０Ｈｚの周波数で、負荷状態または無負荷状態で動作する。他の実施形態では、取外し可能なヘッド２０は、約９４Ｈｚから約１０６Ｈｚの周波数、約８度〜約１２度の振幅で、約３８％〜約４４％のデューティサイクルで、負荷状態で動作する。
【００３０】
器具２２により使用されて、取外可能ヘッド２０を振動させ得る駆動モータアセンブリ４８の一例は、米国特許第７，７８６，６２６号明細書に示され、記載されており、その開示は、その全体が参照により本明細書に援用されている。しかし、当然のことながら、これはそのような器具の構造体及び動作の単なる一例に過ぎず、そのような器具の構造体、動作周波数、及び振動振幅が、角質除去ヘッドの意図された用途及び／またはその慣性特性等の特性に部分的に応じて、変化する可能性があると考えられる。本開示のいくつかの実施形態では、周波数範囲は、取り付けられたヘッドを近共鳴で駆動するように選択される。したがって、選択された周波数範囲は、取り付けられたヘッドの慣性特性に部分的に左右される。当然のことながら、取り付けられたヘッドを近共鳴で駆動することは、負荷状態（例えば、皮膚に接触している場合）において適切な振幅で取り付けられたヘッドを駆動する能力を含む、多くの便益をもたらす。器具の設計パラメータに関するより詳細な検討に関しては、米国特許第７，７８６，６２６号明細書を参照されたい。
【００３１】
パーソナルケア器具２２は、本開示の例示的実施形態で実践され得る器具の１つのタイプであるが、当然のことながら、取外可能ヘッド２０は様々な振動(oscillatory or vibratory)運動発生デバイスでの使用に適している。同様に、パーソナルケア器具２２は、任意の適切な取外し可能なヘッドと共に使用されてもよい。
【００３２】
ここで図２〜図５並びに図６ａ及び図６ｂを参照すると、取外可能ヘッド２０をパーソナルケア器具２２のヘッド取付部分４６に取外し可能に取り付けること、及び、取外可能ヘッド２０と器具２２の駆動シャフト６０との間に堅固な確実な接続を画定すること、に適した例示的な取付構造体２４をここで詳細に記載する。取付構造体２４は、一般に、パーソナル器具２２に固定可能なベースプレート６２と、取外可能ヘッド２０に固定可能なハンドグリッププレート６４と、を含む。ハンドグリッププレート６４は、ベースプレート６２に取外し可能に取付け可能であり、取外可能ヘッド２０をパーソナル器具２２に取外し可能に固定する。
【００３３】
ベースプレート６２の詳細な態様をまず詳細に記載する。ベースプレート６２は、ほぼ平坦で、ヘッド取付部分４６の円形形状に合致するように円形形状のプレート部分６６により画定されている。プレート部分６６は、締結具、接着等、またはそれらの任意の組合せによりパーソナルケア器具２２の駆動シャフト６０に固定可能である。図示の実施形態では、第１の締結具６８の本体は、プレート部分６６にある開口部（表示せず）を通過し、駆動シャフト６０にある開口部（表示せず）内に（ネジによりまたは別の方法で）固定される。空洞部７０が、第１の締結具６８のヘッドを収容するためにプレート部分６６の外面内に画定されていてもよい。このように、第１の締結具６８のヘッドは、ハンドグリッププレート６４へのベースプレート６２の結合を妨げない。また、空洞部７０は、ハンドグリッププレート６４の任意の突起部分、またはハンドグリッププレート６４を取外可能ヘッド２０に固定する締結具の締結具ヘッドを収容するのに十分な大きさで作製されている。
【００３４】
第１の締結具６８に加えて、ベースプレート６２は、駆動シャフト６０が回転した時にベースプレート６２と駆動シャフト６０との間の接続を安定させ、確実にするのを助ける、ベースプレート６２の内面から延在している適切な支持構造体７２を含む。当然のことながら、第１の締結具６８単独では、駆動シャフトが振動した場合、ベースプレート６２と駆動シャフト６０との間の密な安定した接続を維持することができない可能性がある。したがって、追加支持構造体７２は、第１の締結具６８から負荷の少なくとも部分を除去するのに使用され得る。
【００３５】
任意の適切な支持構造体が使用されてもよいが、図示の実施形態では、支持構造体７２は、軸方向長さを有する中心円筒部分７４と、駆動シャフト６０を受容するように合わせられ、軸方向長さの少なくとも一部に沿って延在している駆動シャフト開口部７６と、により画定されている。図示の実施形態では、駆動シャフト６０は、駆動シャフト６０の長さの少なくとも一部に沿って延在している、第１及び第２の平坦な側面７６及び７８それぞれを含む。中心円筒部分７４は、駆動シャフト開口部７６内へかつ中心円筒部分７４の少なくとも一部に軸方向に沿って延在している第１及び第２の角部８０ａ及び８０ｂを含む。第１及び第２の角部８０ａ及び８０ｂは、駆動シャフト６０の第１の平坦な側面７６と係合可能である。同様に、第３及び第４の角部８０ｃ及び８０ｄは、駆動シャフト開口部７６内へ延在しており、第１及び第２の角部８０ａ及び８０ｂの反対側において中心円筒部分７４の少なくとも一部に沿って軸方向に延在している。第３及び第４の角部８０ｃ及び８０ｄは、駆動シャフト６０の第２の平坦な側面７８と係合可能である。
【００３６】
角部８０ａ〜８０ｄの全てが駆動シャフト６０の第１及び第２の平坦な側面に係合している状態で、駆動シャフト６０の回転力の少なくとも一部は、支持構造体７２を介してベースプレート６２に伝達されて、ベースプレート６２が駆動シャフト６０と共に回転するのを助ける。さらに、ベースプレート６２と駆動シャフト６０との間の合わせられた接続は、駆動シャフト６０が僅かに振動した場合にも、駆動シャフト６０がベースプレート６２から独立して回転しないようにする。六角形などの他の形状が代わりに使用されてもよい。さらに、当然のことながら、角部を有する代わりに、中心円筒部分７４は、単に、中心円筒部７４の駆動シャフト開口部７６の少なくとも一部に軸方向に沿って延在している、対向する第１及び第２の平坦な内面を、代わりに含んでいてもよい。そのような構成では、駆動シャフト開口部７６は、中心円筒部分７４の少なくとも一部に沿って、駆動シャフト６０と実質的に同一の形状であると考えられる。
【００３７】
支持構造体７２は、中心円筒部分７４からかつそれを取り囲んで延在している外側支持構造体部分８４をさらに含む。外側支持構造体部分８４は、閉じた側面を備えた略Ｘ形状などの任意の適切な形状であってもよい。外側支持構造体部分８４は、実質的にベースプレート６２のプレート部分６６の内面から延在している１つまたは複数の片持セクション８６を含み、使用中にパーソナルケア器具２２からベースプレート６２に伝達される任意の振動または他の動きを吸収し消散させるのを助けてもよい。
【００３８】
また、外側支持構造体部分８４は、支持構造体７２の一部からベースプレート６２の内面まで延在している１以上のガセット部分８６を含んでいてもよい。図示の実施形態では、第１及び第２の対向するガセット部分８６は、中心円筒部分７４の外周からプレート部分６６の内面まで延在している。ガセット部分８６は、支持構造体７２とベースプレート６２との間の接続を強化することを助ける。当然のことながら、図示された支持構造体７２は、例示的に過ぎず、代わりに、任意の適切な支持構造体は、ベースプレート６２と駆動シャフト６０との間の接続を安定させ、確実にするのを助けるのに使用されてもよい。
【００３９】
ベースプレート６２及び支持構造体７２は、任意の適切な方法で、任意の適切な材料から形成されていてもよい。例えば、ベースプレート６２及び支持構造体７２は、射出成形または別の適切な方法により、プラスチックから一体的に形成されていてもよい。駆動シャフト６０への安定した確実な取付けをもたらすのに適した任意の材料が使用されてもよい。さらに、いくつかの実施形態では、ベースプレート６２及び支持構造体７２は、駆動シャフト６０と一体的に形成されていてもよい。したがって、当然のことながら、本明細書に与えられている記載及び説明は限定的と見なされるべきではない。いずれにしても、当然のことながら、ベースプレート６２及び支持構造体７２（好ましくは単一部品）は、比較的簡単で、コスト効率の高い方法で製造され得る。
【００４０】
ベースプレート６２は、駆動シャフト６０に固定されて、取外可能ヘッド２０を（ハンドグリッププレート６４により）パーソナル器具２２に取外し可能に固定する取付構造体をもたらす。その関連で、ベースプレート６２は、プレート部６６内に画定されている第１及び第２のラッチ開口部８８及び９０を含み、これらラッチ開口部は、ハンドグリッププレート６４の（後述する）第１及び第２のラッチ１７２及び１７４を受け入れるのに適切な大きさに作製されており、適切に形作られている。第１及び第２のキャッチ部９２及び９４は、プレート部６６とほぼ同一の平面に沿って、第１及び第２のラッチ開口部８８及び９０内へ少なくとも部分的に延在している。第１及び第２のラッチ開口部８８及び９０は、ハンドグリッププレート６４をベースプレート６２内に選択的に保持するために、第１及び第２のラッチ１７２及び１７４の部分に係合するのに適切な大きさ及び形状である。
【００４１】
ここで、ハンドグリッププレート６４の詳細な態様が詳細に記載される。ハンドグリッププレート６４は一般に細長い矩形であり、材料の一体的な部品が、第１及び第２の横方向延在グリップ部分１７８及び１８０間に配設されている中間グリッププレート部分１７６を有する。第１の上方湾曲部分、すなわち第１のラッチ１７２は、中間グリッププレート部分１７６と第１のグリップ部分１７８との間に配設されており、第２の上方湾曲部分、すなわち第２のラッチ１７４は、中間グリッププレート部分１７６と第２のグリップ部分１８０との間に配設されている。
【００４２】
中心部分１７６は、それが取外可能ヘッド２０のほぼ平坦な内面１８４（現在、図に８４と誤って表示されている）と結合可能であるように、ほぼ平坦である。その関連で、中心部分１７６は、ハンドグリッププレート６４を取外可能ヘッド２０に固定する締結具または他の適切な構造体を受容する少なくとも１つの開口部を含む。例えば、図示の実施形態では、中心部分１７６は、取外可能ヘッド２０にある中心開口部１９２内に固定されてもよい第２の締結具１９０を受容するのに適した中心締結具開口部１８８を含む。
【００４３】
当然のことながら、いくつかの実施形態では、単一の締結具が、確実な取付けがパーソナル器具２２の使用中でもそのままであるように、ハンドグリッププレート６４を取外し可能なヘッドに確実に取り付けるのに適している可能性がある。しかし、いくつかの実施形態では、負荷状態及び無負荷状態の両方で、取外可能ヘッドが器具２２上で複数の方向に振動した場合、取外可能ヘッド２０上でのハンドグリッププレート６４の一定位置を維持するのを助ける追加安定化構造体が有益であろう。その関連で、ハンドグリッププレート６４は、中心締結具開口部１８８の各側に配置されている第１の突出開口部１９６及び第２の突出開口部１９８をさらに含み、これら突出開口部は、取外可能ヘッド２０の底面１８４上に画定されておりかつそこから延在している第１の突起２００及び第２の突起２０２と結合可能である。第１及び第２の突出開口部１９６、１９８は、中心締結具開口部１８８の各側でほぼ均等に離間されており、第２の締結具１９０と共に、ハンドグリッププレート６４と取外可能ヘッド２０との間に３つの取付点を画定している。このように、パーソナルケア器具２２が使用中である場合、ハンドグリッププレート６４は、実質的に、取外し可能なヘッド２０に対する回転、振動等を防止されている。
【００４４】
追加安定化構造体が、取外可能ヘッド２０に対してハンドグリッププレート６４をさらに安定させるために含まれていてもよい。例えば、上側及び下側安定装置２０４及び２０６は、取外可能ヘッド２０の内面１８４上に形成されていてもよく、これら安定装置は、ハンドグリッププレート６４の一部と係合可能であり、取外可能ヘッド２０に対するハンドグリッププレート６４の位置を固定する。上側及び下側安定装置２０４及び２０６は、ほぼＴ形状であり、ハンドグリッププレート６４が取外可能ヘッド２０に固定された場合、各安定装置２０４及び２０６の長い平坦部分は、ハンドグリッププレート中心部分１７６の上側及び下側のほぼ平坦な面（表示せず）に係合するように配置されている。上側及び下側安定装置２０４及び２０６は、固定面を形成し、ハンドグリッププレート６４の中心部分１７６は、この当接面に当接して抑制されて、使用中に取外可能ヘッド２０に対するハンドグリッププレート６４のいかなる回転も防止するのを助ける。当然のことながら、任意の他の適切な安定化構造体が、ハンドグリッププレート６４を取外可能ヘッド２０に確実な方法で固定するのに使用されてもよい。さらに、いくつかの実施形態では、ハンドグリッププレート６４は、取外可能ヘッド２０と一体的に形成されていてもよい。したがって、当然のことながら、本明細書に与えられている記載及び説明は、限定的と見なされるべきではない。
【００４５】
第１及び第２のグリップ部分１７８及び１８０は、中心部分１７６から横方向に延在しており、これらグリップ部分とほぼ同一平面上にある。図５、図６ａ及び図６ｂを参照すると、第１及び第２のグリップ部分１７８及び１８０は、取外可能ヘッド２０の外周を越えて延在しており、それにより、これらグリップ部分は、取外可能ヘッド２０がパーソナル器具２２に固定された場合に、ユーザによりアクセス可能である。より具体的には、取外可能ヘッド２０は、取外可能ヘッド２０とパーソナル器具２２との間に取付構造体２４を隠すのを助ける基体内面１８４を囲む環状縁部２０８を含む。第１及び第２のグリップ部分１７８及び１８０は、環状縁部２０８に画定されている第１及び第２のグリップ陥凹部１１０及び１１２内に受容可能である。
【００４６】
さらに、ハンドグリッププレート６４の中心部分１７６が取外可能ヘッド２０の内面１８４と結合された場合、第１及び第２のグリップ部分１７８及び１８０は、ユーザがその指で第１及び第２のグリップ部分１７８及び１８０を押圧してもよいように、少なくとも所定の距離で、取外可能ヘッド２０の周囲から横方向に延在している。このたった一度の「押潰し」動作により、第１及び第２のグリップ部分１７８及び１８０はハンドグリッププレート６４の長手方向軸（表示せず）に沿って内側に押圧されて、ハンドグリッププレート６４をベースプレート６２から係合解除するために、第１及び第２のラッチ１７２及び１７４を圧迫し得る。
【００４７】
上記の通り、第１及び第２のラッチ１７２及び１７４は、細長いハンドグリッププレート６４の上方に曲がった部分であり、この部分は、中心部分１７６と第１及び第２のグリップ部分１７８及び１８０それぞれとの間に配置されている。第１及び第２のラッチ１７２及び１７４は、ハンドグリッププレート６４が取外可能ヘッド２０に固定された場合、取外可能ヘッド２０から離れて延在している。第１及び第２のラッチ１７２及び１７４はほぼ同一であり、互いに酷似しており、したがって、第１のラッチ１７２のみを詳細に記載する。
【００４８】
第１のラッチ１７２は、ハンドグリッププレート６４の長手方向軸に対してほぼ横断する第１及び第２の側部分２２０及び２２２と、第１及び第２の側部分２２０及び２２２間に延在している湾曲中心部分２２４と、を含む。その関連で、第１のラッチ１７２は、横断面でほぼＵ字状である。第１のラッチ１７２は、本質的に十分に弾性であり、それにより、第１のラッチは、第１のラッチ幅（第１及び第２の側部分２２０及び２２２間の距離）を有する少なくとも第１の非変形状態と、第１のラッチ幅より狭い第２のラッチ幅を有する第２の変形状態と、の間で動いてもよい。
【００４９】
第１のラッチ１７２は、湾曲頂部分２２４で曲がり、第１のラッチ幅を増減させるために、第２の側部分２２２に向かう第１の側部分２２０の動きを調整する。その関連で、頂部スリットまたは開口部２３０は、湾曲頂部分２２４に画定されており、ハンドグリッププレート６４のほぼ長手方向軸に沿って、ほぼ第１の側部分２２０と第２の側部分２２２との間に延在している。頂部スリット２３０は、湾曲頂部分２２４の材料の一部を除去するように機能し、湾曲頂部分２２４がより容易に曲がることを可能にする。その関連で、任意の適切な開口部、スリット等が、湾曲頂部分２２４の適当量の曲げを調整するのに、代わりに含まれていてもよい。
【００５０】
第１のラッチ１７２は、ベースプレート６２の第１のラッチ開口部８８内に選択的に受容される（かつ第２のラッチ１７４がベースプレート６２にある第２のラッチ開口部９０内に受容可能である）ように構成されている。第１のラッチ開口部８８は、第１のラッチ幅より狭い幅を有する。したがって、第１のラッチ１７２は、（減少したラッチ幅を有する）第２の変形状態に動かして、第１のラッチ１７２に第１のラッチ開口部８８を通過させなければならない。より具体的には、図６ａ及び図６ｂに示されている通り、第１のラッチ１７２は、第１及び第２のグリップ部分１７８及び１８０を押し潰すことにより第１の側部分２２０を第２の側部分２２２の方へ動かす、またはそうでなければ、第１のグリップ部分１７８を第２のグリップ部分１８０の方へ動かす、ことにより、幅が減少する。
【００５１】
図６ａ及び図６ｂでわかるように、幅を減少した構成（すなわち第２の変形状態）では、第１のラッチ１７２は、ベースプレート６２の第１のラッチ開口部８８を通過し得る。第１のラッチ開口部８８を通過した後、図５に示すように、第１のラッチ１７２は、その元の第１の非変形状態に戻る方へ解除されて、第１のラッチ１７２を第１のラッチ開口部８８内に保持する。より具体的には、第１のグリップ部分１７８（及び必然的に第２のグリップ部分１８０）は、解放されて、第１のグリップ部分１７８が、ハンドグリッププレート６４のほぼ長手方向軸に沿って、第２のグリップ部分１８０から離れて動くことを可能にする。第１のグリップ部分１７８が解放されると、第１及び第２の側部分２２０及び２２２は、互いから離れて動き、第１のラッチ１７２の幅を増大させる。しかし、第１のラッチ１７２は、少なくとも部分的な変形状態のままであり、第１のラッチ１７２をベースプレート６２内に保持する。より具体的には、第１のラッチ１７２の弾性特性は、ベースプレート６２上の第１のラッチ開口部８８に一定力をかけて、第１のラッチ１７２をベースプレート６２内に保持する。
【００５２】
第１のラッチ開口部８８を通して第１のラッチ１７２を案内するのを助けるために、第１のラッチ１７２は、第１の側部分２２０と湾曲頂部分２２４との間に画定されている角度付案内面２３４を含んでいてもよい。角度付案内面２３４は、湾曲頂部分２２４に向かって第１の側部分２２０から上方にかつ内側に延在し、傾斜面を画定しており、第１のラッチ１７２が第１のラッチ開口部８８を通過する時に、ベースプレート６２の第１のキャッチ部分９２は、この傾斜面に当接して動きうる。また、傾斜案内面２３４は、その上端部で第１のラッチ１７２の幅を減少させており、それにより、第１のラッチ１７２は、第１のラッチ開口部８８のより狭い幅の開口部をより容易に通過し得る。さらに、傾斜案内面２３４は、湾曲頂部分２２４内により隆起した曲げ点を画定しており、それにより、湾曲頂部分２２４における曲げ応力を低減するのを助ける。
【００５３】
第１のラッチ１７２を第１のラッチ開口部８８内に固定するのを助けるために、かつ触感をもたらし、第１のラッチ１７２が第１のラッチ開口部８８内に受容されたことをユーザにフィードバックするために、第１のラッチ１７２は、第１のキャッチ９２に係合するように構成されている第１のフックアセンブリをさらに含んでいてもよい。図５に示すように、第１のラッチ１７２がその第１の非変形状態の方へ戻るように解放された場合、第１のキャッチ９２は、それが第１のフックアセンブリの一部に当接して捕捉するかまたはそれの真下を通過するように、第１のラッチ開口部８８内へ少なくとも部分的に延在している。第１のフックアセンブリは、任意の適切な方法で、第１の側部分２２０内に形成されていてもよい。
【００５４】
図示の実施形態では、第１のフックアセンブリは、上方に延在し、変形可能なフック状突起１４０により画定されており、このフック状突起は、第１の側部分２２０と同一平面にほぼ沿って第１のグリップ部分１７８から第１の湾曲部分２３４に向かって延在している。フック状突起１４０の底部は、ハンドグリッププレート６４と一体的に形成されており、フック状突起１４０の第１の側面及び第２の側面並びに頂側面は、第１の側部分２２０内の開口部により取り囲まれている。
【００５５】
フック状突起１４０は、第１のキャッチ９２によりそれに力がかけられた場合、内側に（第２のグリップ１８０に向かって）変形することができる。より具体的には、第１のラッチ１７２が第１のラッチ開口部８８内へ移動した場合、第１のキャッチ９２はフック状突起１４０を内側に変形させ、第１のキャッチ９２は、第１の側部分２２０にある開口部内へ動く。第１のキャッチ９２が第１の側部分２２０にある開口部内に受容された場合、図６ａ及び図６ｂに示すように、第１の側部分２２０は、本質的に、第１のキャッチ９２が真下に保持され得るフックショルダ１４４を画定する。フック状突起１４０の変形可能特性は、ユーザに触覚性のスナップ式の感覚をもたらして、第１のキャッチ９２が第１の側部分２２０にある開口部内に受容され、フックショルダ１４４の真下に配置されたことを示す。この触感は、ユーザに、第１のラッチ１７２が第１のラッチ開口部８８内に完全に受容され、保持されていることをさらに示す。
【００５６】
第１のキャッチ部９２を第１のフックアセンブリとの係合から外して動かすために、図６ａに示すように、第１及び第２のグリップ部分１７８及び１８０は、ハンドグリッププレート６４の長手方向軸に沿って押し潰され、内側に動かされて、第１のラッチ１７２の幅を減少させる。第１のラッチ１７２が（ラッチ幅を減少させた）その第２の変形状態に動いた状態で、第１のキャッチ９２は、第１の側部分２２０にある開口部から外へ動き、フックショルダ１４４を通過することができる。第１及び第２のグリップ部分１７８及び１８０をこの位置に保持しながら、第１のラッチ１７２は、第１のラッチ開口部８８から外へ動き、ハンドグリッププレート６４をベースプレート６２から外す。
【００５７】
当然のことながら、第１のフックアセンブリ１４０は、代わりに、任意の適切な方法で形成されていてもよい。例えば、第１のフックアセンブリ１４０は、代わりに、第１の側部分２２０の外面から延在している突起部分により画定されていてもよい。したがって、本明細書に与えられている記載及び説明は、請求項に記載されている主題を限定していると見なされるべきではない。
【００５８】
第２のラッチ１７４は、第１のラッチ１７２に関して上述したものとほぼ同一の方法で第２のラッチ開口部９０との係合に入るように及びラッチ開口部との係合から外れるように移動する。より具体的には、図６ａ及び図６ｂにより明らかなように、ユーザは、第１及び第２のグリップ部分１７８及び１８０をハンドグリッププレート６４の長手方向軸に沿って内側に押し潰して、第１及び第２のラッチ１７２及び１７４の幅を減少させることにより、第１及び第２のラッチ１７２及び１７４を、第１及び第２のラッチ開口部８８及び９０との係合に入るように並びに第１及び第２のラッチ開口部との係合から外れるように移動させる。その関連で、第２のラッチ１７４は、第１のラッチ１７２の第１のフックアセンブリ１４０とほぼ同一の第２のフックアセンブリ１４２を含む。したがって、第１のラッチ１７２及び第２のラッチ１７４が第１のラッチ開口部８８及び第２のラッチ開口部９０との係合に入るように移動した場合、第１及び第２のキャッチ９２及び９４は、第１及び第２のフックアセンブリ１４０及び１４２との係合に入るように動く。
【００５９】
ハンドグリッププレート６４は、任意の適切な方法で、任意の適切な材料から形成されていてもよい。例えば、ハンドグリッププレート６４は、シート状金属から形成され、当技術分野で周知の方法で曲げられ、形成され、かつ／または、プレス加工されていてもよい。代替案では、ハンドグリッププレート６４は、射出成形または別の適切な方法によりプラスチックから作製されていてもよい。ユーザの指による小さい押潰し動作により、第１及び第２のグリップ部分１７８及び１８０がハンドグリッププレート６４の長手方向軸に沿って内側に動いて、少なくとも、第１及び第２のラッチ１７２及び１７４を第１のラッチ幅を有する第１の非変形状態と第２のラッチ幅を有する第２の変形状態との間で動かすことを可能にするのに適した任意の材料が、使用されてもよい。換言すれば、ハンドグリッププレート６４は、ユーザの指のほんの小さい押潰し力により、ベースプレート６２との係合に容易に入り、それから外れることができる。
【００６０】
さらに、ハンドグリッププレート６４は、適切な弾性特性を含み、それにより、第１及び第２のラッチ１７２及び１７４は、ベースプレート６２の第１及び第２のラッチ開口部８８及び９０に一定力をかけて、第１及び第２のラッチ１７２及び１７４をベースプレート６２内に保持する。第１及び第２のラッチ１７２及び１７４がベースプレート６２に受容された場合、それに一定力をかけている状態で、ハンドグリッププレート６４（ひいては取外可能ヘッド２０）は、ベースプレート６２（ひいてはパーソナル器具２２）にしっかり取り付けられている。さらに、パーソナル器具２２が使用中である場合、ハンドグリッププレート６４とベースプレート６２との間の弾性接続は、不要な振動を抑制するのを助ける。
【００６１】
例示的実施形態を説明し、記載したが、当然のことながら、本発明の精神及び範囲から逸脱することなく、そこで様々な変更が行われ得る。
【符号の説明】
【００６２】
２０  取外可能ヘッド、２２  パーソナルケア器具、２４  取付構造体、２６  パーソナルケア部分、３０  毛、３４  基体、３８  器具本体、４０  ハンドル部分、４２  オン／オフボタン、４４  電力調節ボタン，モード制御ボタン、４６  ヘッド取付部分、４８  駆動モータアセンブリ、５０  電力貯蔵源、５２  駆動制御部、５４  電動機、５６，６０  駆動シャフト，電機子、６２  ベースプレート、６４  ハンドグリッププレート、６６  プレート部分、６８  第１の締結具、７０  空洞部、７２  追加支持構造体、７４  中心円筒部分、７６  駆動シャフト開口部，第１の平坦な側面、７８  第２の平坦な側面、８０ａ  第１の角部、８０ｂ  第２の角部、８０ｃ  第３の角部、８０ｄ  第４の角部、８４  外側支持構造体部分、８６  片持部分，ガセット部分、８８  第１のラッチ開口部、９０  第２のラッチ開口部、９２  第１のキャッチ、９４  第２のキャッチ、１１０  第１のグリップ陥凹部、１１２  第２のグリップ陥凹部、１４０  フック突起，第１のフックアセンブリ、１４２  第２のフックアセンブリ、１４４  フックショルダ、１７２  第１のラッチ、１７４  第２のラッチ、１７６  中間グリッププレート部分，中心部分、１７８  第１のグリップ部分、１８０  第２のグリップ部分、１８４  略平坦な内面，底面，基体内面、１８８  中心締結具開口部、１９０  第２の締結具、１９２  中心開口部、１９６  第１の突出開口部、１９８  第２の突出開口部、２００  第１の突起、２０２  第２の突起、２０４  上側安定装置、２０６  下側安定装置、２０８  環状縁部、２２０  第１の側部分、２２２  第２の側部分、２２４  湾曲中心部分，湾曲頂部分、２３０  頂部スリット，開口部、２３４  角度付案内面，傾斜案内面、
【図１】
2017196118.tif 000003
【図２】
2017196118.tif 000004
【図３】
2017196118.tif 000005
【図４】
2017196118.tif 000006
【図５】
2017196118.tif 000007
【図６Ａ】
2017196118.tif 000008
【図６Ｂ】
2017196118.tif 000009
【図７】
2017196118.tif 000010
【外国語明細書】
2017196118000001.pdf